(57)【要約】【課題】  携帯情報端末が場所だけでなく携帯情報端末の周囲の状況を考慮して、携帯情報端末の動作状態を自動的に設定する携帯情報端末動作設定方式を提供する。【解決手段】  携帯情報端末１が自らの状態を検出し、この検出情報から自らがおかれている状況を推測するマナーヒント５０を作成し、サーバ２が携帯情報端末１により作成されたマナーヒント５０に対応した携帯情報端末１のおかれている状況を推測し、この推測された携帯情報端末１のおかれている状況に対応した１携帯情報端末の実行すべきマナー要件６０を作成し、携帯情報端末１がサーバ２により作成されたマナー要件６０を解釈し自らの動作条件を設定する。【選択図】        図２
2006333166.tif 000002
【特許請求の範囲】
【請求項１】
携帯情報端末とこの携帯情報端末とネットワークを介して接続されたサーバとにより構成された携帯情報端末動作設定方式において、
前記携帯情報端末は、自らの状態を検出する検出手段と、この検出手段により検出された検出情報から自らがおかれている状況を推測するヒントを作成するヒント作成手段と、前記ヒントに基づいて作成された携帯情報端末の実行すべき実行要件を解釈し自らの動作条件を設定する解釈手段とを備え、
前記サーバは、前記携帯情報端末のおかれている状況を推測するための推測情報が保存された第１の保存手段と、前記実行要件を作成するための第1の実行要件作成情報が保存された第２の保存手段と、前記ヒント作成手段により作成された前記ヒントに対応した前記携帯情報端末のおかれている状況を前記第１の保存手段に保存された前記推測情報に基づいて推測する状況推測手段と、前記状況推測手段により推測された前記携帯情報端末のおかれている状況に対応した前記実行要件を第２の保存手段に保存された前記第1の実行要件作成情報に基づいて作成する要件作成手段とを備えたことを特徴とする携帯情報端末動作設定方式。
【請求項２】
前記実行要件は、ユーザの操作で解除できない強制実行要件とユーザの操作で解除できる推奨実行要件とを備え、
前記解釈手段は、前記強制実行要件又は前記推奨実行要件を解釈し自らの動作条件を設定することを特徴とする請求項１記載の携帯情報端末動作設定方式。
【請求項３】
前記サーバは、前記携帯情報端末と他の携帯情報端末とがおかれている状況を推測する複数のヒントを保存する第３の保存手段と、前記第３の保存手段に保存された前記複数のヒントの変化に合わせて前記第１の保存手段に保存された前記推測情報を更新する状況データベース更新手段とを備え、
前記状況推測手段は、前記状況データベース更新手段により変更された前記第１の保存手段の前記推測情報に基づいて前記携帯情報端末のおかれている状況を推測することを特徴とする請求項１記載の携帯情報端末動作設定方式。
【請求項４】
前記携帯情報端末は、ユーザが前記携帯情報端末に設定した設定条件を記憶するユーザ設定条件記憶手段を備え、
前記解釈手段は、前記要件作成手段により作成された前記実行要件に前記ユーザ設定条件記憶手段に記憶された前記設定条件を反映した前記動作条件を前記携帯情報端末に設定することを特徴とする請求項１記載の携帯情報端末動作設定方式。
【請求項５】
前記サーバは、ユーザの嗜好を反映した前記実行要件を作成するための第２の実行要件作成情報が保存された第４の保存手段を備え、
前記要件作成手段は、前記第２の保存手段により保存された前記第1の実行要件作成情報と前記第４の保存手段に保存された前記第２の実行要件作成情報とに基づいて前記実行要件を作成することを特徴とする請求項１記載の携帯情報端末動作設定方式。
【請求項６】
携帯情報端末とこの携帯情報端末とネットワークを介して接続されたサーバとを用いた携帯情報端末動作設定方法において、
前記携帯情報端末は、自らの状態を検出する検出ステップと、この検出ステップにより検出された検出情報から自らがおかれている状況を推測するヒントを作成するヒント作成ステップと、前記ヒントに基づいて作成された携帯情報端末の実行すべき実行要件を解釈し自らの動作条件を設定する解釈ステップとを備え、
前記サーバは、前記携帯情報端末のおかれている状況を推測するための推測情報を保存する第１の保存ステップと、前記実行要件を作成するための第1の実行要件作成情報を保存する第２の保存ステップと、前記ヒント作成ステップにより作成された前記ヒントに対応した前記携帯情報端末のおかれている状況を前記第１の保存ステップにより保存された前記推測情報に基づいて推測する状況推測ステップと、前記状況推測ステップにより推測された前記携帯情報端末のおかれている状況に対応した前記実行要件を第２の保存ステップにより保存された前記第1の実行要件作成情報に基づいて作成する要件作成ステップとを備えたことを特徴とする携帯情報端末動作設定方法。
【請求項７】
ネットワークを介してサーバと接続され、自らの状態を検出する検出手段と、
この検出手段により検出された検出情報から自らがおかれている状況を推測するヒントを作成するヒント作成手段と、
前記サーバにより作成された前記ヒントに対応した実行要件を解釈し動作条件を設定する解釈手段とを備えたことを特徴とする携帯情報端末。
【請求項８】
ユーザが設定した設定条件を記憶するユーザ設定条件記憶手段を備え、
前記解釈手段は、前記要件作成手段により作成された前記実行要件に前記ユーザ設定条件記憶手段に記憶された前記設定条件を反映した前記動作条件を設定することを特徴とする請求項７記載の携帯情報端末。
【請求項９】
ネットワークを介して携帯情報端末と接続され、前記携帯情報端末のおかれている状況を推測するための推測情報が保存された第１の保存手段と、
前記携帯情報端末の実行すべき実行要件を作成するための第1の実行要件作成情報が保存された第２の保存手段と、
前記携帯情報端末により作成された前記携帯情報端末がおかれている状況を推測するヒントに対応した前記携帯情報端末のおかれている状況を前記第１の保存手段に保存された前記推測情報に基づいて推測する状況推測手段と、
前記状況推測手段により推測された前記状況に対応した前記実行要件を第２の保存手段に保存された前記第1の実行要件作成情報に基づいて作成する要件作成手段とを備えたことを特徴とする請求項７記載のサーバ。
【発明の詳細な説明】
【技術分野】
【０００１】
この発明は、携帯情報端末の動作状態を自動的に設定する携帯情報端末動作設定方式及び携帯情報端末動作設定方法及び携帯情報端末及びサーバに関するものである。
【背景技術】
【０００２】
従来の携帯電話マナーモード自動設定／解除システムは、携帯情報端末がＧＰＳ装置を備え、携帯情報端末のユーザが事前に位置情報とその位置で利用する機能の組合せをサーバのデータベースに保存することで機能していた(例えば、特許文献１)。
この携帯電話マナーモード自動設定／解除システムは次のように動作する。
（１）携帯情報端末は逐次位置情報をサーバに報告（送信）する。
（２）サーバは受信した位置情報が、予め保存されている場所であるか否かについて前記データベースを検索する。
（３）サーバは場所に応じて使用許可する機能の指示を携帯情報端末に送る。
（４）携帯情報端末はサーバからの指示に従い機能の設定を行う。
【特許文献１】特開２００３−２０９８８４号公報
【発明の開示】
【発明が解決しようとする課題】
【０００３】
従来の携帯電話マナーモード自動設定／解除システムでは、前記のように、携帯情報端末に備えられたＧＰＳによって入手した情報(位置情報・時間情報)を元に、マナーモードをセットする場所であるか否かを判別している。従って従来の携帯電話マナーモード自動設定／解除システムは、同じ場所、同じ時間では常に同じ設定となってしまい、携帯情報端末の置かれている状況に応じて携帯情報端末の設定を動的に変更することはできなかった。
例えば、従来の携帯電話マナーモード自動設定／解除システムでは、次にあげるような携帯情報端末の設定は不可能であった。
（１）路上でバスを待っている際に、交通量が多くなり騒音が大きくなった場合は携帯電話の着信音の音量設定を自動的に上げ、交通量が少なくなって静寂が戻ってきた場合は着信音の音量設定を元に戻す設定を行う。
（２）路上でバスを待っている際に、心臓ペースメーカを付けた人が近づいてきた時に自動的に電波を発信しないモードにして、その人が通り過ぎた時は再び電波の発信を可能とするモードにする設定を行う。
本発明は、以上のような問題点を解決するためになされたもので、携帯情報端末が場所だけでなく携帯情報端末の周囲の状況を考慮して、携帯情報端末の動作状態を自動的に設定する携帯情報端末動作設定方式を提供することを目的としている。
【課題を解決するための手段】
【０００４】
この発明は、携帯情報端末とこの携帯情報端末とネットワークを介して接続されたサーバとにより構成された携帯情報端末動作設定方式において、
前記携帯情報端末は、自らの状態を検出する検出手段と、この検出手段により検出された検出情報から自らがおかれている状況を推測するヒントを作成するヒント作成手段と、前記ヒントに基づいて作成された携帯情報端末の実行すべき実行要件を解釈し自らの動作条件を設定する解釈手段とを備え、
前記サーバは、前記携帯情報端末のおかれている状況を推測するための推測情報が保存された第１の保存手段と、前記実行要件を作成するための第1の実行要件作成情報が保存された第２の保存手段と、前記ヒント作成手段により作成された前記ヒントに対応した前記携帯情報端末のおかれている状況を前記第１の保存手段に保存された前記推測情報に基づいて推測する状況推測手段と、前記状況推測手段により推測された前記携帯情報端末のおかれている状況に対応した前記実行要件を第２の保存手段に保存された前記第1の実行要件作成情報に基づいて作成する要件作成手段とを備えたものである。
【発明の効果】
【０００５】
この発明は、携帯情報端末が自らの状態を検出し、この検出情報から自らがおかれている状況を推測するヒントを作成し、サーバが携帯情報端末により作成されたヒントに対応した携帯情報端末のおかれている状況を推測し、この推測された携帯情報端末のおかれている状況に対応した携帯情報端末の実行すべき実行要件を作成し、携帯情報端末がサーバにより作成された実行要件を解釈し自らの動作条件を設定することにより、携帯情報端末１が携帯情報端末のおかれている場所だけでなく、携帯情報端末のおかれている環境、即ち携帯情報端末１の状況に応じて自動的に携帯情報端末の動作状態を設定することができる
【発明を実施するための最良の形態】
【０００６】
実施の形態１．
以下、この発明の実施の形態１を図を参照して説明する。
図１は、実施の形態１の携帯情報端末動作設定方式の構成図である。
図において、１は携帯電話、ＰＤＡ、デジタルカメラ、携帯音楽プレイヤー等の携帯可能な電化製品であり、ここでは携帯情報端末と呼ぶ。また、２はサーバ装置、３は携帯情報端末１とサーバ装置２が通信するためのネットワークである。このネットワーク３は携帯情報端末１とサーバ装置２が通信するための通信路であり、例えば携帯電話網、インターネット、無線ＬＡＮやそれらの組合せである。
【０００７】
１０は携帯情報端末１のおかれている状況に応じて各種機能１４の設定を行う装置で、ここではマナークライアントと呼ぶ。ここで、状況とは電車が混雑しているとか、近くに心臓ペースメーカを付けた人がいる等、人の営みや自然の摂理によって、時間と共に変化する物事のある時間における有様を指し、また、設定とは携帯情報端末１の機能設定のための設定値の変更や起動・停止を指す。
１１はＧＰＳ装置であり携帯情報端末１の位置情報や時刻情報を入手することができるものであり、１２(１２ａ〜１２c)は携帯情報端末１の持つ各種センサ装置、１３は携帯情報端末１のもつ内蔵データである。また、１４(１４ａ〜１４c)は撮影や録音等の携帯情報端末１が持つ各種機能である
【０００８】
５０はマナークライアント１０がＧＰＳ装置１１、各種センサ装置１２、各種機能１４等から入手した情報から、携帯情報端末１のおかれている状況を知るための（推測するための）ヒントとなる情報を作成したもので、ここではマナーヒントと呼ぶ。
また、６０はサーバ２が携帯情報端末１から送られたマナーヒント５０に入っている情報に基づいて作成する情報であり、携帯情報端末１が実行すべき実行要件であるマナー対応動作を設定するための情報で、ここではマナー要件と呼ぶ。
さらに、２０はマナーヒント５０からマナー要件６０を作成するための装置であり、ここではマナーサーバと呼ぶ。
【０００９】
図２は、マナークライアント１０とマナーサーバ２０の構成と動作について示した説明図である。
図において、１１０はＧＰＳ装置１１、センサ装置１２、内蔵データ１３、各種機能１４から入手した携帯情報端末１の状態を表す情報からマナーヒント５０を作成する装置であり、ここではヒント作成手段と呼ぶ。また、１２０は受信したマナー要件６０を解釈して各種機能１４の設定を行う解釈手段であり、ここではマナー解釈手段と呼ぶ。
２１０はマナークライアント１０から送信されたマナーヒント５０を参照し携帯情報端末１のおかれている状況を推測する手段であり、ここでは状況推測手段と呼ぶ。
【００１０】
また、２２０は状況推測手段２１０が携帯情報端末１のおかれている状況を推測するために利用する情報（データ）が予め保存されたデータ保存装置で、ここでは状況データベースと呼ぶ。この状況データベース２２０には、携帯情報端末１のおかれている状況を知るためのヒントとこのヒントに対応した携帯情報端末１のおかれている状況とのデータが予め保存されている。
２３０は状況推測手段２１０で推測された携帯情報端末１のおかれている状況に従ってマナー要件６０を作成する手段で、ここでは要件作成手段と呼ぶ。
また、２４０は要件作成手段２３０がマナー要件６０を作成するために利用するデータが予め保存されたデータ保存手段で、ここではマナーデータベースと呼ぶ。このマナーデータベース２４０には、携帯情報端末１のおかれている状況と携帯情報端末１が実行すべきマナー対応動作であるマナー要件とデータが予め保存されている。
【００１１】
図３は、マナーヒント５０の一例を示した説明図である。
マナーヒント５０は、マナーをどのように設定すればよいか判断するためのヒントになる情報であれば良い。図３では、ＧＰＳ装置による位置情報と光センサの数値と移動量と携帯情報端末１の機種名が記載されているが、携帯情報端末１がさらにセンサを持っていればそのセンサの情報が加わっても良い。また、各種機能１４を用いて入手した情報（例えばスケジュール帳機能のスケジュールや、カメラで撮影した画像等）が加わっても良い。さらに、心臓ペースメーカ等の医療機器を持った人が近づいてきた事をセンサや通信によって検出した場合、その旨を示す情報を加えても良い。
【００１２】
図４、図５は、マナー要件６０の一例を示した説明図である。
図４は携帯情報端末１の機種に応じた設定が指示される場合のマナー要件であり、図５は携帯情報端末１の機種に依存しないように設定の指示がされる場合のマナー要件である。
マナー要件６０は、マナークライアント１０のマナー解釈手段１２０によってその携帯情報端末１の各種機能１４を設定するために利用されるものである。
図４の例では、携帯情報端末１の各機能について使用の可否や設定値が直接指定されており、「カメラ機能を停止」や「バイブレータパターンをパターン１に設定」というように、携帯情報端末１の機種の動作状態を設定するための情報であるマナー要件を示している。
また、図５の例では、「映画館の中」や「音を出さない」というように、携帯情報端末１の機種が携帯電話でもデジタルカメラでも良いような情報であるマナー要件を示している。
【００１３】
次に、動作について説明する。
図６は、実施の形態１における携帯情報端末動作設定方式の動作手順を示したフローチャートである。
まず、携帯情報端末１のマナークライアント１０のヒント作成手段１１０は、ＧＰＳ装置１１、各種センサ１２、内蔵データ１３、各種機能１４からの情報を収集し、この収集した情報に基づいてマナーヒント５０を作成する(ステップＳ１１)。マナークライアント１０は作成したマナーヒント５０をマナーサーバ２０に送信する(ステップＳ１２)。
【００１４】
次に、マナーサーバ２０は、マナークライアント１０により送信されたマナーヒント５０を受信する(ステップＳ２１)。マナーヒント５０を受信したマナーサーバ２０は、状況推測手段２１０により、状況データベース２２０に保存された情報を用いてマナーヒント５０に対応した携帯情報端末１のおかれている状況を推測する(ステップＳ２２)。この時の状況推測手段２１０の動作は、受信したマナーヒント５０に対応した携帯情報端末１のおかれている状況を状況データベース２２０に予め保存されている情報を参照することにより推測するものである。
【００１５】
この後、マナーサーバ２０の要件作成手段２３０は、ステップＳ２２で状況推測手段２１０により推測された携帯情報端末１のおかれている状況に対応する携帯情報端末１の実行すべきマナー対応動作を調べるためにマナーデータベース２４０を検索し、この検索結果に基づいて携帯情報端末１のおかれている状況下での携帯情報端末１が実行すべきマナー対応動作であるマナー要件６０を作成する(ステップＳ２３)。
さらに、マナーサーバ２０は、ステップＳ２３で要件作成手段２３０により作成されたマナー要件６０をマナークライアント１０に返信する(ステップＳ２４)。
【００１６】
次に、マナークライアント１０は、マナーサーバ２０から送信されたマナー要件６０を受信する(ステップＳ１３)。マナークライアント１０のマナー解釈手段１２０は、送信されたマナー要件６０を解釈して、携帯情報端末１の持つ各種機能１４の設定値や起動／停止等を決定し、前記設定を自ら実行するか、又はユーザに設定を要求するかなど、携帯情報端末１のおかれた状況に合った設定条件であるマナーモードを携帯情報端末１に設定する(ステップＳ１４)。即ち、マナー解釈手段１２０は、送信されたマナー要件６０を解釈して、携帯情報端末１のおかれた状況に対応した動作状態となるように携帯情報端末１の各種機能１４に動作条件の設定を行う。
【００１７】
図６のフローチャートには明記していないが、各処理の段階でエラーが発生し処理が中断してしまうことが考えられる。このような場合を想定して各処理にタイムアウト時間を設定することで、エラーが発生しても再度始めから処理を開始し直すことができる。これにより、処理が停止してしまい処理が進まなくなることを防止することができる。例えば、マナークライアント１０がマナーサーバ２０と通信できない場合に、ステップＳ１２からステップＳ１３の間でタイムアウト時間を設定することにより、この間でタイムアウトが生じた時に処理を最初に戻し再度処理を開始することができる。
【００１８】
また、マナーヒント５０からマナー要件６０を作成する一連の動作は、携帯情報端末１が直接通信しているサーバが行う以外に、別のサーバに転送して行ったり、マナーヒント５０を分割して別々のサーバでマナー要件に変換したり、状況を推測するために複数のサーバを利用したり、状況からマナーへの変換処理を複数のサーバで行ったりすることによっても前記に記載した場合と同様の効果を奏することができる。
【００１９】
図７は、マナーサーバ２０おいてマナーヒント５０からマナー要件６０を作成する動作の説明図である。
状況推測手段２１０は、マナーサーバ２０から送信されたマナーヒント５０中の位置情報と状況データベース２２０に保存された位置情報とを照合して、携帯情報端末１(ユーザ)が路上であることを推測する。同様にセンサの値と状況データベースに保存されているセンサパターンデータベースの情報とを照合して、携帯情報端末１が鞄の中かポケットの中にあり、周囲の騒音が大きい状態であることを推測する。
【００２０】
この推測された携帯情報端末１のおかれた状況は、要件作成手段２３０に渡され、要件作成手段２３０は受け取った推測状況と、マナーデータベース２４０に予め保存された携帯情報端末１のおかれた状況及びこれに対応するマナー要件６０とによる情報とを照合して、「音を出してよい」とか、「音が大きい方が良い」とかのマナー要件６０を得る。
この得たマナー要件６０を組み合わせたり、このマナー要件６０から再度マナーデータベース２４０を検索したりすることによって、携帯情報端末１に返信するマナー要件６０を作成する。
【００２１】
以上のように本実施の形態によれば、携帯情報端末１が位置情報だけでなくセンサの値やカメラ等の機能から得た情報をサーバ２に送信し、サーバ２がそれらの情報を統合して携帯情報端末１が実行すべき動作状態となるような携帯情報端末設定情報を導き出し、携帯情報端末１がその設定情報に基づいて動作条件の設定を行うことにより、携帯情報端末１が携帯情報端末１のおかれている場所だけでなく、携帯情報端末１のおかれている環境、即ち携帯情報端末１の状況に応じて自動的に携帯情報端末１の動作状態を設定することができる。
【００２２】
実施の形態２．
以下、実施の形態２を説明する。
実施の形態１では通知されるマナー要件６０に種類は無かった。本実施の形態では、マナー要件６０に「強制マナー」と「推奨マナー」の２種類のマナーを持ち、確実に携帯情報端末１に動作条件を設定する強制実行要件である強制マナーと、ユーザの操作によって携帯情報端末１に設定された動作条件を変更できる推奨実行要件である推奨マナーを設定する場合について説明する。
【００２３】
本実施の形態では、強制マナーはマナークライアント１０が必ず実施するマナー要件であり、ユーザの操作では解除することが出来ないものとする。一方、推奨マナーは設定を行った後でもユーザの明示的な操作により解除することができるマナー要件である。
マナーサーバ２０のマナーデータベース２４０には、強制マナーと推奨マナーが保存されている。要件作成手段２３０は、状況推測手段２１０により推測された携帯情報端末１のおかれている状況に対応するマナー要件６０をマナーデータベース２４０に保存された強制マナーと推奨マナーとを参照して作成する。このように作成されたマナー要件６０は、マナーサーバ２０からマナークライアント１０に送信される。
マナーサーバ２０からマナークライアント１０にマナー要件６０が送信されると、マナークライアント１０のマナー解釈手段１２０は、マナー要件６０の強制マナーと推奨マナーに従って携帯情報端末１にマナーモードの設定（動作条件の設定）を行う。
【００２４】
以上のようなマナークライアント１０とマナーサーバ２０の動作により、例えば、飛行機の中や試験会場や電車の優先席付近のように、「マナー」が法律や規則で定義できるものであれば、そのマナーを「強制マナー」として携帯情報端末１を強制的にマナーモードや電波送受信不可に設定する。また、「電車内で通話しない」のように、「マナー」がユーザの良心によるものであれば、マナーを「推奨マナー」として携帯情報端末１にマナーモードの設定を行うなどの動作設定を行うことができる。
【００２５】
以上のように本実施の形態によれば、携帯情報端末は公共のルールを確実に守り、自動的にマナーモードを設定することができる。さらにこのとき、法律等で規制されていない場所や状況であれば、緊急の場合等にマナーモードを解除して使用することができる。
【００２６】
実施の形態３．
以下、実施の形態３を図を参照して説明する。
実施の形態１、２では、携帯情報端末１がマナーヒント５０を送信することを起点としてサーバ２側でマナー要件６０を作成していた。本実施の形態では、サーバ２側が起点となり、他の携帯情報端末の移動や時間の経過等、携帯情報端末１をとりまく状況の変化をサーバ２側で検出し、携帯情報端末１にマナー要件を通知する場合について説明する。
【００２７】
図８は、マナーサーバ２０の構成と動作について示した説明図である。
図において、１ａは心臓ペースメーカ等の医療器具を持った人が携帯している携帯情報端末で、本実施の形態において移動を行う側である。また、１ｂは本実施の形態において携帯情報端末１ａの移動に合わせてマナー要件が変化させられる側の携帯情報端末である。この例では、マナーデータベース２４０に電波の発信を許可する設定と、医療機器の近くは電波を発信してはいけないという情報（データ）が保存され、状況データベース２２０に「位置Ｃ４は路上である。位置Ｅ４は路上であり医療機器の近くである」との情報（データ）が保存されている。
【００２８】
４は、「医療機器の周囲」となるエリアで、ここではこのエリアをマナーエリアと呼ぶ。本実施の形態ではマナーエリア４が携帯情報端末１ａの移動に伴い移動していく。
２５０は実施の形態１の構成に追加されたもので、各携帯情報端末のマナーヒント５０が予め保存されたデータベースであり、ここではこれを端末データベースと呼ぶ。
また、２６０も実施の形態１の構成に追加されたもので、端末データベース２５０に保存されている各携帯情報端末のマナーヒント５０の変化に合わせて状況データベース２２０に保存されている情報を更新する状況データベース更新手段であり、ここではこの手段を端末把握手段と呼ぶ。
【００２９】
本実施の形態では、実施の形態１で説明したマナーサーバ２０に対し、新たに端末データベース２５０と端末把握手段２６０が追加された構成となる。ここで、端末データベース２５０は、各携帯情報端末１から送られてきたマナーヒント５０を記憶するためのデータベースである。また、端末把握手段２６０は、端末データベース２５０の変化を元に状況データベース２２０を更新する状況データベース更新手段である。
本実施の形態では、状況推論手段２１０は、定期的に、あるいは端末把握手段２１１が動作する度に、端末データベース２５０から各携帯情報端末1のマナーヒント５０を取得し、そのマナーヒント５０を用いて状況データベース２２０を検索し、携帯情報端末１のおかれている状況を推測する。この後の動作は実施の形態1と同様である。
【００３０】
次に、動作について説明する。
図９は、実施の形態３における携帯情報端末動作設定方式の動作手順を示したフローチャートである。
まず、携帯情報端末１のマナークライアント１０は、携帯情報端末１のおかれている状況の変化に伴い位置情報等のマナーヒント５０に変化があった場合には、逐次マナーサーバ２０に変化のあったマナーヒント５０を送信する(ステップＳ３１)。この動作は、マナーサーバ２０とネットワークを介して接続された各携帯情報端末１が行うものである。
【００３１】
マナーサーバ２０は、マナークライアント１０から送信されたマナーヒント５０を受信し、この受信したマナーヒント５０を端末データベース２５０に保存する(ステップＳ４１)。マナーサーバ２０は、端末把握手段２６０によりステップＳ４１で受信し保存されたマナーヒント５０の内容に従って状況データベース２２０に保存された情報を更新する(ステップＳ４２)。
このように、状況データベース２２０に保存された情報が更新されると、マナーサーバ２０の状況推測手段２１０は、状況データベース２２０に保存された更新情報を用いて、各携帯情報端末のおかれている状況を推測する(ステップＳ４３)。
【００３２】
この後、マナーサーバ２０の要件作成手段２３０は、状況推測手段２１０により推測された各携帯情報端末のおかれている状況に対応する携帯情報端末１（状況が変化した携帯情報端末１）の実行すべき実行要件であるマナー対応動作を調べるためにマナーデータベース２４０を検索し、この検索結果に基づいて携帯情報端末１のおかれている状況下での携帯情報端末１が実行すべきマナー対応動作であるマナー要件６０を作成する(ステップＳ４４)。
マナーサーバ２０は、要件作成手段２３０によりマナーデータベース２４０を用いて作成されたマナー要件６０を携帯情報端末１に送信する(ステップＳ４５)。
【００３３】
携帯情報端末１は、マナーサーバ２０により送信されたマナー要件６０を受信する(ステップＳ３２)。続いて、携帯情報端末１は、送信されたマナー要件６０を解釈して、携帯情報端末１の持つ各種機能１４の設定値や起動／停止等を決定し、前記設定を自ら実行するか、又はユーザに設定を要求するかなど、携帯情報端末１のおかれた状況に合ったマナーモードを携帯情報端末１に設定する(ステップＳ３３)。
なお、本実施の形態では、マナーヒント５０の受信を起点とするだけでなく、時間の経過、状況データベース２２０の更新、マナーデータベース２４０の更新等が起点となってマナー要件６０を作成してもよい。
【００３４】
このように本実施の形態では、携帯情報端末１において状況変化の検出が出来なかった場合であっても、マナーサーバ２０が端末データベース２５０に記録されているマナーヒント５０から携帯情報端末１における状況の変化を検出し、マナー要件６０を携帯情報端末１に送信することができる。また、受信したマナーヒント５０から状況データベース２２０を更新する手段を有するため、携帯情報端末ユーザの移動に伴って発生する状況の変化にも対応することが可能である。
【００３５】
次に、図８を用いてマナーサーバ２０の具体的な動作例について説明する。
携帯情報端末１ｂのユーザはＣ４の路上でバスを待っている。場所が道路であり、周囲に医療機器も無いことから、携帯情報端末１ｂにマナーモードは設定されていない。この時、心臓ペースメーカを付けた携帯情報端末１ａのユーザがバス停に近づいてきている。携帯情報端末１ａのマナーヒント５０は携帯情報端末１ａの移動に伴い変化していき、随時端末データベース２５０が更新される。またそれに従い、状況データベース２２０が更新される。位置Ｃ４が携帯情報端末１ａのマナーエリア４に含まれた時、状況データベース２２０の位置Ｃ４の状況が「道路・医療機器の近く」に変更される。
【００３６】
この時、マナーサーバ２０は端末データベース２５０に格納されている携帯情報端末１ｂのマナーヒントと状況データベース２２０とから携帯情報端末１ｂが「医療機器の近く」ということが分かる。この状況からマナーデータベース２４０を検索し、携帯電話の電波発信を禁止するマナー要件６０を携帯情報端末１ｂに送信する。これにより携帯情報端末１ｂは自動的に携帯電話の電波を出さないように設定が行なわれる。
【００３７】
以上のように本実施の形態によれば、携帯情報端末１ｂは「医療機器が近くにあることを検出する」センサが無くても、マナーサーバ２０から自動的に「医療機器が近くにあるので電波を出してはいけない」と通知を受けることができるので、携帯情報端末１ｂは状況に応じた動作設定を行うことができ、携帯情報端末の利用マナーを守ることができる。
また、本携帯情報端末動作設定方式では、マナーサーバ２０が時間の経過や携帯情報端末の状況変化によって発生する他の携帯情報端末の状況変化を発見することによって、携帯情報端末単独では検出できなかった周囲の状況変化に対応する形で、携帯情報端末の動作状態を設定することができる。
【００３８】
実施の形態４．
以下、実施の形態４を図を参照して説明する。
本実施の形態では、ユーザが既に好みのマナーモードを携帯情報端末１に設定している場合に、このユーザの好みの設定とマナー要件との両方を満たす設定を携帯情報端末１に行う場合について説明する。
本実施の形態は、場所・状況に対して画一的な携帯情報端末の設定を行うのではなく、携帯情報端末ユーザの嗜好を設定に反映するものである。これはユーザが自発的に、より機能を制限した設定を行いたい場合に有用である。例えば、携帯情報端末が携帯電話で、場所が喫茶店で、状況が着席中の場合、静かに休憩を取りたいので通話をしたくないという人と、これから来る人を喫茶店で待つので通話をしたいという人に対して、それぞれの嗜好を満たし、かつその場所・状況のマナーを遵守する設定を自動的に行う携帯情報端末を提供する。この例では、前者の嗜好では着信を行わない設定が望ましく、後者の嗜好では着信を行う設定が望ましい。また喫茶店の店内という状況では着信音を鳴らさないというマナーが要求されると想定する。
【００３９】
図１０は、マナークライアント１０の構成と動作について示した説明図である。
図において、１３０はユーザが携帯情報端末１に対して設定した設定条件であるマナーモードを記憶するユーザ設定条件記憶手段で、ここではユーザ設定マナーモード記憶手段と呼ぶ。また、１４０はユーザが携帯情報端末１に設定するマナーモードを設定するユーザ設定条件設定手段で、ここではユーザ設定マナーモード設定手段と呼ぶ。
図１０は、マナークライアント１０の構成と動作について示した説明図である。
図において、１３０はユーザが設定した設定条件であるマナーモードを記憶するユーザ設定条件記憶手段で、ここではユーザ設定マナーモード記憶手段と呼ぶ。また、１４０はユーザがマナーモードを設定するユーザ設定条件設定手段で、ここではユーザ設定マナーモード設定手段と呼ぶ。
【００４０】
次に、図１０を用いてマナークライアント１０の動作について説明する。
携帯情報端末１のユーザは、任意の時に、ユーザ設定マナーモード設定手段１４０を用いて自分の嗜好に合わせた設定条件をユーザ設定マナーモード記憶手段１３０に記録する。
マナー解釈手段１２０は、マナーサーバ２０により送信されたマナー要件６０を受信すると、受信したマナー要件６０を解釈し、また、ユーザ設定マナーモード記憶手段１３０に記録されている設定条件であるユーザの嗜好を反映して、携帯情報端末１の持つ各種機能１４の設定を行う。このとき、マナー解釈手段１２０は、ユーザの設定がマナー要件６０に反するものであればマナー要件６０を優先する。
【００４１】
例えば、前記の喫茶店の場合であれば、着信をしたくないというユーが、ユーザ設定マナーモード設定手段１４０に着信をしたくないという設定を行うと、ユーザ設定マナーモード設定手段１４０は、ユーザ設定マナーモード記憶手段１３０に着信機能ＯＦＦという設定を施す。これによって、喫茶店の中という位置及び状況におけるマナー要件６０が着信を禁じていない場合でも、マナー解釈手段１２０は着信ＯＦＦという設定が維持される。
また、この時ユーザが、バイブレータで通知して欲しいという設定を行っていた場合であっても、喫茶店側のマナー要件６０にバイブレータ禁止という項目があれば、マナー解釈手段１２０は喫茶店側のマナー要件６０を優先して、バイブレータ機能がＯＦＦと設定される。
【００４２】
以上のように本実施の形態によれば、マナー要件６０から得た設定情報にユーザの設定したマナーモードを反映することによって、場所・状況だけでなく、ユーザの嗜好を反映した柔軟な動作状態に携帯情報端末の動作状態を設定することができる。
【００４３】
実施の形態５．
以下、実施の形態５を図を参照して説明する。
実施の形態４では、マナークライアント１０にユーザ設定マナーモード記憶手段１３０を追加することで、ユーザの設定したマナーモードを反映させるものであったが、本実施の形態では、ユーザが好む状況とマナー要件の対応をサーバに記録することで、ユーザの嗜好をマナー要件に反映する場合について説明する。
本実施の形態では、ユーザの好む「状況とマナー要件」をマナーサーバに記録するため、ユーザは状況ごとに手元の携帯情報端末の設定を変更しなくても自動的に好みの設定が実施される。
図１１は、マナーサーバ２０の構成と動作について示した説明図である。
図において、２７０はユーザの好む状況とマナー要件６０との組合せの情報を記録するもので、ここではこの装置をユーザ嗜好データベースと呼ぶ。
【００４４】
次に、図１１を用いて本実施の形態の動作について説明する。
まず、携帯情報端末１のマナークライアント１０は、ヒント作成手段１１０を用いてマナーヒント５０を作成する。次に、マナーサーバ２０は状況推測手段２１０を用いて、マナーヒント５０と状況データベース２２０から携帯情報端末１のおかれている状況について推測を行う。続いて、マナーサーバ２０の要件作成手段２３０は、マナーデータベース２４０とユーザ嗜好データベース２７０の双方を検索し、双方の設定を反映したマナー要件６０を作成する。このように作成されたマナー要件６０は、マナーサーバ２０からマナークライアント１０に送信される。
【００４５】
続いて、マナークライアント１０はマナーサーバ２０から送信されたマナー要件６０を受信すると、マナークライアント１０のマナー解釈手段１２０が受信したマナー要件６０を満たすよう携帯情報端末１の設定を行う。
なおここで、相反する設定が保存されている場合は、携帯情報端末１の機能を制限する方の設定を優先する。
【００４６】
前記の動作を、例えば、前記の喫茶店の場合で説明すると次のようである。
図１１による動作によれば、ユーザの喫茶店では常に着信をしないという嗜好がユーザ嗜好データベース２７０に保存されているとする。このとき、ユーザが携帯情報端末１を持参して喫茶店に入ると、マナーサーバ２０の状況推測手段２１０が携帯情報端末１の位置情報やセンサの値等から、状況推測手段２１０が喫茶店の中であることを推測する。
マナーサーバ２０は、携帯情報端末１を持ったユーザが喫茶店であることが分かると、マナーデータベース２４０から「着信する」という設定と、ユーザ嗜好データベース２７０から「着信しない」という嗜好を得て、要件作成手段２３０を用いて携帯情報端末１の機能を制限するための「着信しない」というマナー要件６０を作成する。このように作成されたマナー要件６０は、マナーサーバ２０からマナークライアント１０に送信される。
【００４７】
同様に、携帯情報端末１を持ったユーザが映画館であることが分かると、「音を出さない」という設定と、「振動しない」という嗜好を得て、要件作成手段２３０により「音を出さない。振動しない。」というマナー要件６０が作成される。このように作成されたマナー要件６０は、マナーサーバ２０からマナークライアント１０に送信される。
【００４８】
以上のように本実施の形態によれば、マナーサーバ２０にユーザの嗜好を記録するユーザ嗜好データベース２７０を備えたことにより、携帯情報端末１のおかれている状況に対応したユーザ好みの設定情報をマナー要件６０に反映することができるため、ユーザが使用している携帯情報端末１のおかれている場所・状況だけでなく、ユーザの嗜好を反映した柔軟な動作状態に携帯情報端末１１の動作状態を設定することができる。
また、この時ユーザの嗜好をマナーサーバ２０に状況とマナー要件の組合せで記録するため、ユーザは手元の携帯情報端末を操作することなく自動的に状況に応じてユーザの嗜好が反映された設定を得ることができる。
【図面の簡単な説明】
【００４９】
【図１】実施の形態１の携帯情報端末動作設定方式の構成図。
【図２】実施の形態１におけるマナークライアント１０とマナーサーバ２０の構成と動作の説明図。
【図３】実施の形態１におけるマナーヒント５０の説明図。
【図４】実施の形態１において携帯情報端末１の機種に応じた設定が指示される場合のマナー要件６０の説明図。
【図５】実施の形態１において携帯情報端末１の機種に依存しないように設定の指示がされる場合のマナー要件６０の説明図。
【図６】実施の形態１における携帯情報端末動作設定方式の動作手順を示したフローチャート。
【図７】実施の形態１においてマナーヒント５０からマナー要件６０を作成する動作の説明図。
【図８】実施の形態３におけるマナーサーバ２０の構成と動作の説明図。
【図９】実施の形態３における携帯情報端末動作設定方式の動作手順を示したフローチャート。
【図１０】実施の形態４におけるマナークライアント１０の構成と動作の説明図。
【図１１】実施の形態５におけるマナーサーバ２０の構成と動作の説明図。
【符号の説明】
【００５０】
１  携帯情報端末、２  サーバ、３  ネットワーク、１０マナークライアント、１１  ＧＰＳ装置、１２  各種センサ、１３  内蔵データ、１４  各種機能、２０  マナーサーバ、５０  マナーヒント、６０  マナー要件、１１０  ヒント作成手段、１２０  マナー解釈手段、１３０  ユーザ設定マナーモード記憶手段、１４０  ユーザ設定マナーモード設定手段、２１０  状況推測手段、２２０  状況データベース、２３０  要件作成手段、２４０  マナーデータベース、２５０  端末データベース、２６０  端末把握手段、２７０  ユーザ嗜好データベース。
【図１】
2006333166.tif 000003
【図２】
2006333166.tif 000004
【図３】
2006333166.tif 000005
【図４】
2006333166.tif 000006
【図５】
2006333166.tif 000007
【図６】
2006333166.tif 000008
【図７】
2006333166.tif 000009
【図８】
2006333166.tif 000010
【図９】
2006333166.tif 000011
【図１０】
2006333166.tif 000012
【図１１】
2006333166.tif 000013